(57)【要約】      （修正有）【課題】門扉の開閉を円滑に行うことができ異音の発生も小さい門扉取付用の軸受金具を提供する。【解決手段】門扉が取り付けられる支柱に固定されるケース部材１２と、ケース部材１２に固定され側方に突出する支持アーム部材１４を備える。支持アーム部材１４の支軸立設部３４の上面に立設され、門扉に固定された保持部材の軸受部に回転自在に嵌合する円柱状の支軸を備える。支軸４０の外周面４２がカーボンを含有した合成樹脂で形成されている。支軸４０の根元部分に、保持部材の軸受部の開口端面を支持する受け面４８が設けられ、カーボンを含有した合成樹脂で形成されている。支軸４０は端部のフランジ部４６と共に一体成形され、フランジ部４６の上面に受け面４８が形成されている。外周面４２と受け面４８に筋状突起４２ａ，４８ａが形成されている。【選択図】図１
0003166047.tif 000002
【実用新案登録請求の範囲】
【請求項１】
門扉が取り付けられる被取付物に固定される本体と、前記本体が前記被取付物の側方に突出した部分に突出方向と垂直に立設され、門扉に固定された保持部材の軸受部に回転自在に嵌合する円柱状の支軸とを備え、前記門扉を前記被取付物に回動自在に取り付ける門扉取付用の軸受金具において、
前記支軸の外周面がカーボンを含有した合成樹脂で形成されていることを特徴とする門扉取付用の軸受金具。
【請求項２】
前記支軸の根元部分に、前記保持部材の軸受部の開口端面を下方から支持する受け面が設けられ、前記受け面がカーボンを含有した合成樹脂で形成されている請求項１記載の門扉取付用の軸受金具。
【請求項３】
前記支軸は、円柱形状の端部から外向きに広がるフランジ部と共に前記合成樹脂により一体成形され前記本体に取り付けられ、前記フランジ部の上面に前記受け面が形成されている請求項２記載の門扉取付用の軸受金具。
【請求項４】
前記支軸の外周面には、前記軸受部の内周面に摺接して前記保持部材に嵌合する筋状突起が形成されている請求項１乃至３のいずれか記載の門扉取付用の軸受金具。
【請求項５】
前記支軸の外周面の前記筋状突起は、円柱状側面を長手方向に延びる複数の突起が等間隔で配置されたものである請求項４記載の門扉取付用の軸受金具。
【請求項６】
前記支軸の外周面の前記筋状突起は、円柱状側面を周回する複数の突起が等間隔で配置されたものである請求項４記載の門扉取付用の軸受金具。
【請求項７】
前記支軸の外周面の前記筋状突起は、円柱状の長手方向に螺旋状に形成されたものである請求項４記載の門扉取付用の軸受金具。
【請求項８】
前記受け面には、前記軸受部の前記開口端面に摺接して前記保持部材を支持する筋状突起が形成されている請求項２又は３記載の門扉取付用の軸受金具。
【請求項９】
前記支軸及び前記フランジ部には、前記フランジ部外側から前記支軸の内側に連通する中空部が設けられ、前記支軸が前記本体に固定された状態で、前記中空部に補強用の軸棒が挿通されている請求項３記載の門扉取付用の軸受金具。
【考案の詳細な説明】
【技術分野】
【０００１】
この考案は、支柱や塀に門扉を回転自在に取り付ける門扉取付用の軸受金具に関する。
【背景技術】
【０００２】
一戸建て住宅の門やマンションの各戸の通路側に設けられる門扉は、例えば、所定形状の外枠部の内側に桟状部が取り付けられたような構造を有し、その外枠部の縦方向の一側縁部が、複数の門扉取付用の軸受金具を介して支柱や塀に取り付けられる。門扉取付用の軸受金具のうちピボットヒンジと称されるものは、支柱の側方に突出するアーム部分と支柱等に固定される取付部分を有する本体と、アーム部分にその突出方向と垂直に立設された円柱形の支軸とで構成される。そして、図８（ａ）に示すように、門扉１に取り付けられた保持部材２ａ，２ｂの軸受部に、支柱３に取り付けられた軸受金具４ａ，４ｂの本体５ａ，５ｂに立設された支軸６ａ，６ｂが回転可能に嵌合し、門扉１が軸吊りされ開閉自在に保持される。
【０００３】
この門扉取付用の軸受金具は、複数の軸受金具４ａ，４ｂを支柱３に取り付けるとき、互いの支軸６ａ，６ｂの軸線を完全に一致させることは容易ではなく、図８（ｂ）に示すように軸ずれが生じやすい。そこで従来から、軸受金具の本体を支柱に取り付けた後で支軸の位置を微調整する機能を備えたピポットヒンジが使用されている。この種のピボットヒンジは、支柱等に固定されるケース部と、ケース部材の内側に固定される支持部を有する支持アーム部材と、支持アーム部材のケース部材から突出し部分にその突出方向と垂直に設けた円柱形の支軸とで構成されている。例えば、特許文献１，２に開示されている門扉取付用のヒンジは、所定の調整ネジを回すことによって、ケース部に対する支持アーム部材の突出量を調整したり、支持アーム部材を上記突出方向に対して直角方向に水平移動させたりする構造を有している。従って、支柱に対する門扉の位置を近づけたり遠ざけたりするＸＹ方向の位置調整を容易に行うことができる。さらに、特許文献２のヒンジは、ケース部に対して首振り可能に保持された支持アーム部材の角度を所定の調整ネジによって可変できる構造になっている。
【０００４】
また、特許文献３に開示されているように、二枚折りドア等の連結部分に使用される軸受形材であって、ドアから延設された軸が内側に嵌るポケット形の軸受が押出成形により一体に設けられ、軸受の内周面に所定形状の凹欠条を連設することによって、軸の外周面に接触する複数の突条が形成された軸受形材がある。この軸受形材は、軸の外周面との摺接面の面積を小さくすることによって摩擦を少なくし、開閉動作の際にきしむ音（異音）の発生を抑えると共に、ドアの開閉動作を円滑にする。
【先行技術文献】
【特許文献】
【０００５】
【特許文献１】特開２０００−２２６９７７号公報
【特許文献２】特開平８−１５１８８１号公報
【特許文献３】特開平１０−２９２７１２号公報
【考案の概要】
【考案が解決しようとする課題】
【０００６】
支柱等の取付面が捻じれていたり平坦でなかったりすると、支柱等に取り付けたとき上下２つの取付金具の軸ずれが顕著になる。特に不慣れな作業者が取り付けた場合、特許文献１，２に開示されている門扉取付用のヒンジの調整機能を使用したとしても、軸ずれを完全にキャンセルすることが難しい。従って、支柱等の取付面の状態によっては、支軸の外周面と保持部材の内周面との間の摩擦で異音が発生し、門扉を円滑に開閉することができないという問題があった。
【０００７】
また、特許文献１，２のヒンジに特許文献３に開示されている技術を応用したとしても、異音の発生や開閉の円滑性の問題を解決することはできなかった。
【０００８】
この考案は、上記背景技術に鑑みて成されたものであり、門扉の開閉を円滑に行うことができ異音の発生も小さい門扉取付用の軸受金具を提供することを目的とする。
【課題を解決するための手段】
【０００９】
本考案は、門扉が取り付けられる被取付物に固定される本体と、前記本体が前記被取付物の側方に突出した部分に突出方向と垂直に立設され、門扉に固定された保持部材の軸受部に回転自在に嵌合する円柱状の支軸とを備え、前記門扉を前記被取付物に回動自在に取り付ける門扉取付用の軸受金具であって、前記支軸の外周面がカーボンを含有した合成樹脂で形成されている門扉取付用の軸受金具である。
【００１０】
前記支軸の根元部分に、前記保持部材の軸受部の開口端面を下方から支持する受け面が設けられ、前記受け面がカーボンを含有した合成樹脂で形成されている。
【００１１】
また、前記支軸は、円柱形状の端部から外向きに広がるフランジ部と共に前記合成樹脂により一体成形され前記本体に取り付けられ、前記フランジ部の上面に前記受け面が形成されている。
【００１２】
前記支軸の外周面には、前記軸受部の内周面に摺接して前記保持部材に嵌合する筋状突起が形成されている。前記筋状突起は、円柱状側面を長手方向に延びる複数の突起が等間隔で配置されたものであってもよく、円柱状側面を周回する複数の突起が等間隔で配置されたものであってもよく、円柱状の長手方向に螺旋状に形成されたものであってもよい。また、前記受け面には、前記軸受部の前記開口端面に摺接して前記保持部材を支持する筋状突起が形成されている。
【００１３】
また、前記支軸及び前記フランジ部には、前記フランジ部の外側から前記支軸の内側に連通する中空部が設けられ、前記支軸が前記本体に固定された状態で、前記中空部に補強用の軸棒が挿通されている。
【考案の効果】
【００１４】
本考案の軸受金具は、門扉に取り付けた保持部材の軸受部に嵌合する支軸の外周面が、カーボンを含有する合成樹脂で形成され、保持部材と支軸との摺接面に生じる摩擦抵抗が大幅に低減される。従って、複数の軸受金具が支柱等に取り付けられ、その支軸の軸線が多少ずれたとしも、門扉を円滑に開閉することができ、異音の発生も抑えることができる。
【００１５】
また、軸受金具の本体をケース部材と支持アーム部材とで構成し、支持アーム部材とケース部材との固定位置を可変な構造にすれば、複数の軸受金具の本体を支柱に取り付けた後でも、各支軸のずれを容易に調整することができる。また、支軸の外周面や根元部分の受け面に所定の筋状突起を設ければ、軸受部と外周面及び受け面との摩擦抵抗がさらに小さくなり、摩擦によって生じた異音を拡散させる効果も得られる。従って、上記の門扉の開閉動作がより円滑になり、異音抑制の効果もさらに向上する。
【図面の簡単な説明】
【００１６】
【図１】この考案の一実施形態の軸受金具をケース部材外側の斜め下方から見た斜視図（ａ）、斜め上方から見た斜視図（ｂ）である。
【図２】この実施形態の軸受金具の支軸を示す平面図（ａ）、正面図（ｂ）、斜視図（ｃ）である。
【図３】この実施形態の軸受金具の支軸を支持アーム部材に固定する構造を説明する模式図（ａ），（ｂ）である。
【図４】筋状突起の変形例を示す斜視図である。
【図５】筋状突起の他の変形例を斜視図である。
【図６】この実施形態の軸受金具の支軸を支持アーム部材に固定する構造の変形例を説明する模式図（ａ），（ｂ）である。
【図７】この実施形態の軸受金具の支軸を支持アーム部材に固定する構造の他の変形例を説明する模式図（ａ），（ｂ）である。
【図８】門扉取付用の軸受金具の一般的な使用状態を示す斜視図（ａ）、軸ずれについて説明する斜視図（ｂ）である。
【考案を実施するための形態】
【００１７】
以下、この考案の門扉取付用の軸受金具の一実施形態について、図１〜図３に基づいて説明する。この実施形態の軸受金具１０は、図８（ａ）に示す従来の軸受金具４ａ，４ｂと同様に支柱３に取り付けられ、門扉１に取り付けられた保持部材２ａ，２ｂの軸受部に回転自在に嵌合し、門扉１を回動自在に支持するピボットヒンジの一種である。
【００１８】
軸受金具１０は、図１（ａ），（ｂ）に示すように、本体であるケース部材１２と、ケース部材１２に位置調整可能に固定される支持アーム部材１４とで構成されている。ケース部材１２は、中間壁１６とその両端に略直角に延設された一対の側壁１８，２０で構成された一方向に長い矩形の外形を有し、長手方向の一端に位置する一側面が開口され、支持アーム部材１４が挿通される挿通口２２となる。
【００１９】
挿通口２２に連続して中間壁１８とほぼ平行に対向する面も開口され、この開口縁部に連続し、側壁１８，２０に対してほぼ直角に側方へ延出する板状の取付部２４，２６が各々設けられている。取付部２４，２６は、支柱３に重ねられて取り付けられるものであり、一対のネジ用透孔２４ａ，２６ａが各々形成されている。各取付部２４，２６の挿通口２２側とその反対側の端部には、側壁１８，２０に対して直角に当接する三角板状の補強部２４ｂ，２６ｂが各々設けられている。また、ケース部材１２の挿通口２２と反対側の一端に位置する一側面は、背壁２８によって塞がれている。
【００２０】
ケース部材１２の内側には、挿通口２２から背壁２８の方向に、棒状の支持アーム部材１４が差し込まれている。支持アーム部材１４は、長手方向に対して直角な断面形状がほぼ矩形の支持部３２を有している。支持部３２の、ケース部材１２の挿通口２８から外に突出している端部には、支軸立設部３４が一体に設けられている。支軸立設部３４には、支持部３２の上面に対してほぼ直角に掘り込まれた支軸取付凹部３４ａが設けられている。この支軸取付凹部３４ａは、後述する支軸３０の根元側に延設された嵌合凸部４４と嵌合可能に設けられている。
【００２１】
支持アーム１４は、第一調整ボルト３６と第二調整ボルト３８によってケース部材１２に固定され、ケース部材１２に対する固定位置を調整できる構造になっている。第一調整ボルト３６は、ネジ頭が背壁２８の外壁にほぼ当接した状態で保持され、ボルト部が背壁２８に設けた貫通孔に挿通され支持アーム部材１４の支持部３２側の端部に設けたネジ溝に螺合している。第二調整ボルト３８は、ネジ頭が側壁２０の外壁にほぼ当接した状態で保持され、ボルト部が側壁２０に設けた貫通孔に挿通され、第二調整ボルト３８を締め付けるとネジ部の先端と側壁１８との間に支持アーム部材１４の支持部３２が挟持される構造になっている。従って、第二調整ボルト３６を緩めた状態で、支持アーム部材１４は第一調整ボルト３６のネジ頭の部分を軸に傾動自在であり、第一調整ボルト３６の締め付け量を調整すればケース部材１２の挿通孔２２から突出する支軸アーム部材１４の長さも変化する。この動作により、支軸立設部３４の位置を可変し、後述する支軸４０の位置を調整することができる。
【００２２】
図１に示す支軸４０、嵌合凸部４４及びフランジ部４６は、カーボンを含有した合成樹脂により一体成形されている。カーボンを含有した合成樹脂は、門扉１を支持するため一定以上の強度を有しつつ所定の柔軟性を付与することができ、表面の摩擦抵抗を金属（例えば、ステンレスやアルミなど）よりも小さく抑えることができる素材である。また、異音の原因となる振動を吸収する効果もある。
【００２３】
支軸４０は、図８に示す従来の軸受金具４ａ，４ｂの支軸６ａ，６ｂに相当する部分であり、図２に示すように、円柱状の外周面４２に、円柱状側面を長手方向に延びる複数の突起が等間隔で配置された筋状突起４２ａが形成されている。支軸４０の根元部分には、支軸立設部３４の支軸取付凹部３４ａの内に嵌合して固定される嵌合凸部４４が設けられている。さらに、外周面４２と嵌合凸部の境界部分に、外向きに略水平に広がるフランジ部４６が形成されている。フランジ部４６の上面である受け面４８には、上記の筋状突起４２ａを放射状に延長する筋状突起４８ａが形成されている。
【００２４】
支軸４０は、図３に示すように、嵌合凸部４４が支軸取付凹部３４ａに深く挿入され、フランジ部４６の下面が支軸取付凹部３４ａの開口端面に当接した状態で固定される。そして、支軸４０が相手方の図８に示す保持部材２ａ，２ｂの軸受部に取り付けられると、外周面４２の筋状突起４２ａが軸受部の内周面に摺接し、受け面４８の筋状突起４８ａが軸受部の開口端面に摺接して保持部材２ａ，２ｂを下方から支持する。
【００２５】
以上説明したように、軸受金具１０は、門扉１に取り付けた保持部材２ａ，２ｂの軸受部に摺接する支軸４０の筋状突起４２ａを含む外周面４２と、軸受部の開口端面に摺接するフランジ部４６の筋状突起４８ａを含む受け面４８とが、カーボンを含有する合成樹脂で形成されている。従って、この合成樹脂の柔軟性や吸音効果により、保持部材２ａ，２ｂと支軸４０との摺接面に生じる摩擦抵抗が大幅に低減され、複数の軸受金具１０が支柱３に取り付けられたとき各支軸４０の軸線が多少ずれていたとしても、門扉１を円滑に開閉することができ、異音の発生も抑えることができる。
【００２６】
また、軸受金具１０は、ケース部材１２に対する支持アーム部材１４の固定位置を変更できる構造になっているので、複数の軸受金具１０を支柱３に取り付けた後でも、各支軸４０のずれを容易に微調整することができる。また、支軸４０の外周面４２とフランジ部４６の受け面４８に筋状突起４２ａ，４８ａが設けてあるので、軸受部と支軸４０との摺接面の摩擦抵抗がさらに小さくなる上、摩擦によって生じた異音も表面の凹凸構造により拡散しやすい。従って、上記の門扉１の開閉動作がより円滑になり、異音抑制の効果も高められている。
【００２７】
また、この支軸４０、フランジ部４６及び嵌合凸部４４の形状は、金型を用いて一体成形するのに適している。例えば、通常の２面割の金型を使用する場合、金型の合わせ面が隣り合う筋状突起４２ａ，４８ａの間の筋状溝の位置に沿って配置されるようにすれば、成形後の表面に多少のバリが発生しても、上述した発明の動作及び作用効果に影響しない。
【００２８】
次に、上記の支軸４０の外周面４２に形成した筋状突起４２ａの変形例について、図４、図５に基づいて説明する。ここで、図４、図５の変形例では、フランジ部４６の受け面４８に筋状突起が設けられていない。これは、大型で重い門扉１を支持する場合に、門扉１の荷重によって受け面の筋状突起が摩耗、変形することによって新たな弊害が生じないように考慮したものである。
【００２９】
図４の変形例では、支軸４０の外周面４２に、円柱状側面を周回する複数の突起を等間隔で配置した筋状突起４２ｂが形成されている。この筋状突起４２ｂも、上記の筋状突起４２ａと同様に、保持部材２ａ，２ｂの軸受部と支軸４０との間の摩擦抵抗が小さくなるので、門扉１の開閉動作がより円滑になり、所定の異音抑制の効果も得ることができる。
【００３０】
図５の変形例では、支軸４０の外周面４２に、円柱状の長手方向に螺旋状に形成した筋状突起４２ｃが形成されている。このように、回転方向に対して斜めの筋状突起４２ｃを設けることによって、回転による摺動面の移動をより円滑にすることができる。
【００３１】
次に、軸受金具１０における、支軸４０を支持アーム部材１４に固定する構造の変形例を、図６、図７に基づいて説明する。上述した図３の固定構造は、支軸４０のフランジ部４６側の端部に嵌合凸部４４が設けられていたのに対し、図６の変形例では、支軸４０の根元の嵌合凸部４４が省略され、新たにフランジ部４６から支軸４０の内側に連通する中空部５０が設けられている。また、支持アーム部材１４の支軸立設部３４は、支軸取付凹部３４ａが省略され、新たに中空部５０のフランジ部４６側の開口端から挿入されて中空部５０内に嵌合する軸棒５２が立設されている。この軸棒５２は、例えば、アルミやステンレス製の硬い棒材であることが好ましい。従って、図６（ｂ）に示すように取り付け、合成樹脂製の支軸４０の中空部５０に軸棒５２を配置することによって、合成樹脂製の支軸４０の強度が向上する。
【００３２】
また、図７の変形例では、上述した図３の固定構造に加え、新たに支軸４０、フランジ部４６及び嵌合凹部４４の内側を連通する中空部５４が設けられ、その内周面に金属製の固定ボルト５８と螺合可能なネジ溝が形成されている。また、支持アーム部材１４は、その支軸取付凹部３４ａの底面に貫通孔５６が形成され、固定ボルト５８のネジ部を挿通できるように形成されている。従って、図６（ｂ）に示すように取り付け、合成樹脂製の支軸４０の中空部５０に固定ボルト５８を配置することによって、支軸４０の強度が向上する。
【００３３】
なお、この考案の軸受金具は上記実施形態及び変形例に限定されるものではない。例えば、支軸を支持アーム部材の支軸立設部に一体に形成し、支軸の外周面及びその根元部分の受け面をカーボンを含有する合成樹脂で形成した構造であってもよい。また、熟練した作業者が取り扱う業務用の軸受金具など、支柱に取り付けるときの軸ずれが比較的小さいことが分かっているときは、ケース部材と支持アーム部材との位置関係を微調整する機構を省略し、ケース部材と支持アーム部材を一体に形成してもよい。また、必要に応じて、支軸の外周面及びその根元部分の受け面の筋状突起を省略してもよい。このように本体の構造を簡単化することによって、軸受金具の製造コストを低減することができる。
【００３４】
さらに、支軸の外周面等に使用する合成樹脂の種類やカーボンの含有量は、成形の容易性、成形後の機械的強度や振動吸収性などに鑑みて、適宜変更することができる、
【符号の説明】
【００３５】
１０  軸受金具
１２  ケース部材
１４  支持アーム部材
２２  挿通口
３２  支持部
３４  支軸立設部
４０  支軸
４２  外周面
４２ａ，４２ｂ，４２ｃ  筋状突起
４６  フランジ部
４８  受け面
４８ａ  筋状突起
５０  中空部
５２  軸部材
５８  固定ボルト
【図１】
0003166047.tif 000003
【図２】
0003166047.tif 000004
【図３】
0003166047.tif 000005
【図４】
0003166047.tif 000006
【図５】
0003166047.tif 000007
【図６】
0003166047.tif 000008
【図７】
0003166047.tif 000009
【図８】
0003166047.tif 000010